(57)【特許請求の範囲】
【請求項１】
軒端に沿って形成される複数の樋間に位置して、樋の長手方向の端部同士を接続するための樋継手であって、
樋継手は、樋の長手方向と平行方向の横断面形状が略Ｈ字形状に形成されることにより、接続すべき樋の長手方向の端部が、それぞれの長手方向に沿って差し込まれるように樋の長手方向の端部の外側を取り囲む方向に形成されている第１及び第２の差込部と、樋の長手方向の端部を前記それぞれの差込部の内部に案内する案内部を有する案内片とを備え、
前記差込部は、樋の長手方向の端部の内面側の表面に当接する内面当接部と、樋の長手方向の端部の外面側の表面に当接する外面当接部とを備え、外面当接部は、内面当接部と比べて、樋の長手方向に対して延設されている延設部を備えているとともに、
前記差込部の内面のうち、樋の内表面に対向する部分には、樋の長手方向に延在して突出する複数の突出部が所定間隔をおいて形成され、
前記案内片は全体が薄板船形状を呈し、前記内面当接部の外面当接部とは反対側の外側表面上であってこの樋継手の角部に相当する位置に立設して設けられ、前記樋の長手方向の端部を前記差込部の内部に案内するために前記延設部に面する案内部を備え、
この案内部が、前記差込部における樋の長手方向の端部に当接する内面に向かって連続する曲面形状に形成されることにより、前記延設部と案内部とにより形成された開口部の開口幅は差込部に向かって連続的に減少するように形成されていることを特徴とする樋継手。
【発明の詳細な説明】
【０００１】
【発明の属する技術分野】
この発明は軒端に形成する樋の端部同士を現場施工において容易に接続することができる樋継手に関する。
【０００２】
【先行技術】
図６及び図７は、従来の樋継手を示すものであって、図６は樋継手の概略分解斜視図、図７は樋継手の組立断面図を示すものである。
従来の樋継手110は、軒端に沿って形成される長尺状の複数の樋130間に位置して、樋130の長手方向の端部同士を接続していた。具体的には、樋継手110は、樋130の長手方向に直角方向の断面形状と同様の上方に向かって開口する略コ字状に形成されている。そして、軒端に沿って形成される長尺状の第一の樋131と、その第一の樋131の長手方向の端部に隣接する第二の樋132との間に位置して、第一の樋131及び第二の樋132の長手方向の端部同士を接続していた。
そして、樋継手110は、図７に示すように第一の樋131及び第二の樋132の長手方向に沿った断面形状が略Ｈ字形状に形成されており、第一の樋131の長手方向の端部が差し込まれる第一の差込部121と、第二の樋132の長手方向の端部が差し込まれる第二の差込部122とを備えていた。そして、各差込部121,122は、樋131,132の長手方向の端部の内面側の表面に当接する内面当接部123と、樋131,132の長手方向の端部の外面側の表面に当接する外面当接部124とをそれぞれ備えていた。その外面当接部124は内面当接部123と比べて、樋131,132の長手方向に向かって延設する延設部126が形成されていた。この延設部126は、現場施工において樋131,132の端部の差し込み作業を容易にするために形成されていた。すなわち、延設部126の表面に沿って樋131,132の端部を差込部121,122に向かってスライドさせることにより、樋131,132の端部を差込部121,122の内部に容易に導くようにして形成されていた。
【０００３】
【発明が解決しようとする課題】
しかし、樋同士の接続作業は高所作業の上に、図示しないが軒先から突出する屋根端部や軒先水切り等が邪魔するため、樋同士の接続部分を直接、目で見て確認しながら接続作業を行うことは容易ではなかった。
そして、現場施工において従来の樋継手の差込部に樋の切り口端部を差し込もうとしても、差込部の形状と樋の端部との形状とが一致しない場合には差し込み作業に大変手間がかかるという問題点があった。
【０００４】
そこで、本発明（請求項１記載の発明）は、上記した従来の技術の有する問題点に鑑みてなされたものであり、その目的とするところは、簡単な構造により、樋の長手方向端部が変形していても容易に差し込むことができて、樋の接続作業が容易な樋継手を提供しようとするものである。
【０００５】
【課題を解決するための手段】
本発明は、上記した目的を達成するためのものである。
すなわち、本発明（請求項１記載の発明）は、軒端に沿って形成される複数の樋(30)間に位置して、樋(30)の長手方向の端部同士を接続するための樋継手(10)であって、樋継手(10)は、樋(30)の長手方向と平行方向の横断面形状が略Ｈ字形状に形成されることにより、接続すべき樋(30)の長手方向の端部が、それぞれの長手方向に沿って差し込まれるように樋(30)の長手方向の端部の外側を取り囲む方向に形成されている第１及び第２の差込部(20;21,22)と、樋(30)の長手方向の端部を前記それぞれの差込部(21,22)の内部に案内する案内部(41)を有する案内片(40)とを備え、前記差込部(20;21,22)は、樋(30)の長手方向の端部の内面側の表面に当接する内面当接部(23)と、樋(30)の長手方向の端部の外面側の表面に当接する外面当接部(24)とを備え、外面当接部(24)は、内面当接部(23)と比べて、樋(30)の長手方向に対して延設されている延設部(26)を備えているとともに、前記差込部(21,22)の内面のうち、樋(30)の内表面に対向する部分には、樋(30)の長手方向に延在して突出する複数の突出部(27)が所定間隔をおいて形成され、前記案内片(40)は全体が薄板船形状を呈し、前記内面当接部(23)の外面当接部(24)とは反対側の外側表面上であってこの樋継手(10)の角部に相当する位置に立設して設けられ、前記樋(30)の長手方向の端部を前記差込部(21,22)の内部に案内するために前記延設部(26)に面する案内部(41)を備え、この案内部(41)が、前記差込部(21,22)における樋(30)の長手方向の端部に当接する内面に向かって連続する曲面形状に形成されることにより、前記延設部(26)と案内部(41)とにより形成された開口部(42)の開口幅は差込部(21,22)に向かって連続的に減少するように形成されていることを特徴としている。
【０００６】
本発明に係る樋継手(10)は、それぞれの差込部(21,22)に向かって樋(30)の長手方向の端部を差し込むと、樋(30)の長手方向の端部は案内片(40)の案内部(41)により、それぞれ差込部(21,22)の内部に案内される。これにより、樋(30)の長手方向の端部が差込部(21,22)の内部にスムーズに差し込まれ、現場施工において樋(30)同士の接続作業を容易なものとすることができる。
【０００７】
【０００８】
また、本発明に係る樋継手(10)において、差込部(21,22)の延設部(26)と、案内片(40)の案内部(41)とにより形成される開口部(42)は、その開口幅が差込部(21,22)に向かって連続的に減少している。すなわち、反差込部側に向かって開口するように形成されている。したがって、樋(30)の長手方向の端部を樋継手(10)の差込部(21,22)に向かって差し込む場合に、容易に延設部(26)と案内部(41)との間の開口部(42)の内部に入れ込むことができる。そして、樋(30)の端部を開口部(42)の内部に入れ込んだ後に、樋(30)の端部を樋継手(10)に向かって押し込むと、樋(30)の端部は途中で引っかかることなく案内部(41)に沿って差込部(21,22)の内部に案内される。
これにより、樋(30)の長手方向の端部が変形して樋(30)の断面形状と樋継手(10)の断面形状とが一致しないような場合であっても、樋(30)の長手方向端部は延設部(26)と案内部(41)とにより案内されて差込部(21,22)の内部にスムーズに差し込むことができ、現場施工において樋(30)同士の接続作業を容易なものとすることができる。
【０００９】
なお、案内片(40)は、材料の無駄を省くために差込部(20)と別の部材により形成してもよいが、案内片(40)と差込部(21,22)とを連続した一体物として形成しても良い。これにより、案内片(40)の案内部(41)と差込部(21,22)との間に発生する継ぎ目を無くすことができてより滑らかに樋(30)端部を差込部(21,22)内部に挿入することができる。
【００１０】
【発明の実施の形態】
以下、本発明の実施の形態を図面に基づいて、更に詳しく説明する。
図１乃至図４は、本発明の第１の実施の形態を示すものであり、図１は樋継手の横断面形状、図２は案内片を有する樋継手の部分斜視図、図３は樋継手の縦断面形状、図４は樋継手の斜視図をそれぞれ示す。
【００１１】
まず、本実施の形態の構成について説明する。
本実施の形態に係る樋継手10は、軒端に沿って形成される複数の樋30間に位置して、樋30の長手方向の端部同士を接続するためのものである。具体的には、樋継手10は、その縦断面形状が樋30の長手方向に直角の縦断面形状と同様の上方に向かって開口する略コ字状に形成されている。そして、軒端に沿って形成される長尺状の第一の樋31と、その第一の樋31の長手方向の端部に隣接する第二の樋32との間に位置して、第一の樋31及び第二の樋32の長手方向の端部同士を接続するものである。
そして、樋継手10は、図１及び図２に示すように第一の樋31及び第二の樋32の長手方向と平行方向の横断面形状が略Ｈ字形状に形成されている。
【００１２】
そして、樋継手10は、樋30の長手方向の端部が差し込まれる差込部20を備えている。具体的に差込部20は、第一の樋31の長手方向の端部が差し込まれる第一の差込部21と、第二の樋32の長手方向の端部が差し込まれる第二の差込部22とから形成されている。この各差込部21,22は、樋31,32の長手方向の端部の内面側の表面に当接する内面当接部23と、樋31,32の長手方向の端部の外面側の表面に当接する外面当接部24とをそれぞれ備えている。
前記内面当接部23には、樋30の長手方向と平行に位置して、内面当接部23の差込部20(21,22)側の表面から突出する突出部27が形成されている。その突出部27は、内面当接部23の差込部20側の周囲表面に所定間隔に形成されているものである。
前記外面当接部24は、内面当接部23と比べて、樋31,32の長手方向に向かって延設する延設部26が形成されている。
【００１３】
前記樋継手10には、樋30の長手方向の端部を前記差込部20の内部に案内する全体形状が薄板船形状の案内片40が形成されている。その案内片40は、内面当接部23の外側表面上であってこの樋継手10の角部に相当する位置に立設して設けられており、樋30の端部を差込部20の内部に案内するために延設部26に面する案内部41を備えている。案内部41は、下方に向かって凸状に突出する曲面を形成するものである。その案内部41と延設部26とにより形成された開口部42の開口幅は差込部20に向かって連続的に減少するように形成されている。
【００１４】
次に、上記した本実施の形態に係る樋継手10の作用及び効果を樋30の取付手順に沿って説明する。
先ず、第一の樋31を軒端に沿って固定する。次に、樋継手10の第一の差込部21の内部に接着剤25を入れ、樋継手10の第一の差込部21を第一の樋31の長手方向の端部に位置させる。そして、差込部20の延設部26と、案内片40の案内部41とにより形成される開口部42は、第一の差込部21に向かって連続的に減少し、反差込部20側に向かって開口している。このため、第一の樋31の長手方向の端部を樋継手10の第一の差込部21に向かって差し込むと、容易に延設部26と案内部41との間の開口部42の内部に入れ込むことができる。
【００１５】
そして、第一の樋31の端部を開口部42の内部に入れ込んだ後に、第一の樋31の端部を樋継手10に向かって押し込むと、第一の樋31の端部は途中で引っかかることなく案内部41に沿って第一の差込部21の内部に案内される。これにより、第一の樋31の長手方向の端部が変形して第一の樋31の断面形状と樋継手10の断面形状とが一致しないような場合であっても、第一の樋31の長手方向端部は延設部26と案内部41とにより案内されて第一の差込部21の内部にスムーズに差し込むことができ、現場施工において第一の樋31同士の接続作業を容易なものとすることができる。
【００１６】
そして、第一の差込部21の内部に入り込んだ第一の樋31は、突出部27により外面当接部24側の表面に押圧されて、第一の差込部21内部においてガタつくことなく固定され、最終的には接着剤25により周囲と完全に固定される。これにより、第一の樋31の端部に樋継手10が固定される。
次に、第二の樋32を第一の樋31の端部に隣接するような位置に載置し、長手方向に対して摺動可能な状態とする。
【００１７】
そして、第二の差込部22の内部に接着剤25を挿入し、第二の樋32の長手方向の端部を第二の差込部22の内部に、上述した第一の樋31を第二の差込部22の内部に固定した場合と同様の手順で挿入する。第二の樋32の場合も、上述した第一の樋31の場合と同様の作用及び効果を奏することができ、第二の差込部22の内部に第二の樋32の端部を固定することができる。これにより、第一の樋31と第二の樋32とを樋継手10を介して接続して固定することができる。
【００１８】
上述したように本実施の形態によれば、樋30の長手方向の端部を差込部20の内部にスムーズに差し込むことができ、現場施工において樋30同士の接続作業を容易なものとすることができる。
次に、本発明の第２の実施の形態について説明する。
図５は、本発明の第２の実施の形態に係る樋継手の縦断面形状を示すものである。
【００１９】
第１の実施の形態においては、案内片40を樋継手10の反建物躯体側11の角部に１カ所のみ形成していたが、本実施の形態においては、それに加えて、案内片40を建物躯体側11の角部に１カ所、さらに反建物躯体側11の下面側の角部の上に形成された角部にも１カ所形成したもので、合計３カ所の角部に案内片40を形成したものである。
【００２０】
本実施の形態によれば、樋継手10の３カ所において案内片40が形成されているため、樋継手10の差込部20に差し込まれる樋30の端部を３カ所において同時に抑え込むことができる。これにより、第１の実施の形態に使用した樋30よりもさらに長手方向端部の断面形状が大きく変形したものでも、差込部20に差し込む場合に樋30の端部の変形を押さえ込んで、差込部20の形状に合わせることができ、現場施工における樋30同士の接続作業をさらに容易なものとすることができる。
【００２１】
【００２２】
【００２３】
【００２４】
【００２５】
【発明の効果】
本発明は、以上のように構成されているので、以下に記載されるような効果を奏する。
すなわち、本発明（請求項１記載の発明）によれば、簡易な構造により、樋の長手方向端部が変形していても容易に差し込むことができて、樋の接続作業が容易な樋継手を提供することができる。
【００２６】
【図面の簡単な説明】
【図１】  本発明の第１の実施の形態であって、樋継手を示す横断面形状である。
【図２】  本発明の第１の実施の形態であって、案内片を有する樋継手を示す部分斜視図である。
【図３】  本発明の第１の実施の形態であって、案内片を有する樋継手を示す斜視図である。
【図４】  本発明の第１の実施の形態であって、樋継手を示す縦断面形状である。
【図５】  本発明の第２の実施の形態であって、樋継手を示す縦断面形状である。
【図６】  従来の樋継手を示す概略分解斜視図である。
【図７】  従来の樋継手を示す組立断面図である。
【符号の説明】
10…樋継手、11…建物躯体側、20…差込部、21…第一の差込部、22…第二の差込部、23…内面当接部、24…外面当接部、25…接着剤、26…延設部、27…突出部、30…樋、31…第一の樋、32…第二の樋、40…案内片、41…案内部、42…開口部、110…樋継手、120…差込部、121…第一の差込部、122…第二の差込部、123…内面当接部、124…外面当接部、125…接着剤、126…延設部、130…樋、131…第一の樋、132…第二の樋。
【図１】
0003935984.tif 000002
【図２】
0003935984.tif 000003
【図３】
0003935984.tif 000004
【図４】
0003935984.tif 000005
【図５】
0003935984.tif 000006
【図６】
0003935984.tif 000007
【図７】
0003935984.tif 000008